(57)【要約】【課題】    コンピュータ等の操作に用いるマウスにおいて、カーソル移動速度を変更する際    設定画面の呼び出し操作を不要とするためマウス側で変更操作を可能とすると    ともに、連続的かつ細かくカーソル移動速度の調整を可能とする手段を提供する。【解決手段】    デューティ比を連続的に可変調整せしめることが可能なＰＷＭ信号を発生する    ＰＷＭ信号発生手段と、このＰＷＭ信号のデューティ比を手動で調整せしめる    デューティ比手動調整手段と、マウスの移動量を検出する移動検出手段と、これを    制御する移動量出力制御手段を備え、移動量出力制御手段はＰＷＭ信号の    デューティ比に応じてマウス外部に出力する移動量データに反映する単位時間    あたりのマウスの移動量を制限することによってカーソル移動速度の調整を実現    する。【選択図】  図１
2006338238.tif 000002
【特許請求の範囲】
【請求項１】
コンピュータ機器等において入力操作に用いるマウスであって、デューティ比を
連続的に可変調整せしめることが可能な矩形波、すなわちＰＷＭ信号１を発生
するＰＷＭ信号発生手段２と、このＰＷＭ信号１のデューティ比を手動で調整
せしめるデューティ比手動調整手段３と、マウスの移動量を検出し出力する
移動検出手段４と、ＰＷＭ信号１を受けて移動検出手段４を制御する移動量
出力制御手段７を備え、移動量出力制御手段７は、ＰＷＭ信号１のレベルが
ハイ（高）またはロー（低）のいずれか一方の時間帯を移動検出有効時間５と
みなし、もう一方を移動検出無効時間６とみなし、移動検出有効時間５においては
移動検出手段４によって検出せしめたマウスの移動量を、マウス外部に出力する
移動量データに反映せしめ、移動検出無効時間６においては、移動検出手段４に
よるマウスの移動量の検出動作を禁止するか、もしくは検出せしめたマウスの移動
量をマウス外部に出力する移動量データに反映することを禁止する制御を行う
ことによって、ＰＷＭ信号１のデューティ比に応じてマウスが操作する対象のカーソ
ル等の移動速度を可変調整せしめることを特徴とするカーソル速度可変マウス。
【請求項２】
前記移動検出手段４として光学的にマウスの移動量を検出するために、マウスの
移動によって相対位置が動く面の画像を撮る撮像手段８と、撮像面を照明する
ための照明手段９を備え、前記移動検出有効時間５においては照明手段９を点灯
せしめ、前記移動検出無効時間６においては照明手段９を消灯せしめる動作を
行うところの点灯回路１０を備えたことを特徴とする請求項１記載のカーソル速度
可変マウス。
【請求項３】
請求項２記載の点灯回路１０が請求項１記載の移動量出力制御手段７を兼ね、
照明手段９の消灯によって撮像手段８の光学的撮像を禁止することを特徴とする
請求項１記載のカーソル速度可変マウス。
【請求項４】
請求項１記載のＰＷＭ信号１のデューティ比手動調整手段３の操作に用いる操作
ツマミ１１を、マウス操作時に操作する手の親指が触れる位置に備えたことを特徴と
する請求項１記載のカーソル速度可変マウス。
【発明の詳細な説明】
【技術分野】
【０００１】
本発明は、コンピュータ端末やＣＡＤ端末等において、表示装置に表示された
カーソル等の操作に用いるマウスであって、マウス側でカーソル移動速度の調整を
連続的に可能とする技術に関するものである。
【背景技術】
【０００２】
従来のマウスは、カーソルの移動速度を変更する場合、その都度コンピュータの
操作画面で該当設定メニューを呼び出して設定を行っているか、または、マウス
側に備えたスイッチ等の切り替え操作によって移動速度を変更している。
【０００３】
カーソル移動速度をマウス側で切り替えるものとしては、例えばスイッチによって
出力パルス数に一定係数を掛けることでパルス数を倍化することでカーソルの移動
速度を速めるものが考案されている（例えば、特許文献１参照。）。
また、移動量あたりのカウント数が異なる複数の移動検出出力信号から、スイッチに
よって信号を1つ選択することで、カーソル速度を数段階に切り替えるものが考案
されている（例えば、特許文献２参照。）。
また、単位移動距離あたりの信号パルスを通常よりも増加させる高速モードのスイッ
チと、単位移動距離あたりの信号パルスを通常よりも減少させる低速モードのスイッ
チを備え、カーソル速度を３段階に切り替えるものが考案されている（例えば、特許
文献３参照。）。
また、カーソル速度の調整操作に押しボタン式の感圧抵抗素子を用いて、この
抵抗値の変化によって移動量あたりのカウント数（分解能）を変化させるものが考案
されている（例えば、特許文献４参照。）。
【特許文献１】特開平３−２２２０２６号  公報
【特許文献２】特開平３−２７８２１９号  公報
【特許文献３】特開平６−１１９１１２号  公報
【特許文献４】特開平１０−２４７１３１号  公報
【発明の開示】
【発明が解決しようとする課題】
【０００４】
従来、カーソル速度の変更を行う場合、たとえば操作画面上で設定変更する場合
には、その都度作業を中断して設定メニューを呼び出す操作を強いられる。
この設定操作のために進行中の作業が途切れ、煩わしいものであった。マウスを
用いる作業の中で、部分的に移動速度を変えたい場合には、設定変更し、作業を
行った後にまた設定を元に戻す操作を行わねばならず不便であった。作業中に
カーソル等の移動速度を変えたいという場面は、特にＣＡＤ操作やグラフィック製作
作業などにおいて頻繁にあることである。
【０００５】
また、カーソルの速度をマウス側のスイッチなどで、手動で切り替える従来のものは
マウスの単位移動量あたりのカウント数（分解能）を例えば２００ｄｐｉ、４００
ｄｐｉ、８００ｄｐｉ等と数段階にスイッチ等を用いて切り替えるものであって、
切り替え時のカーソル速度の変化幅が大きいため操作に違和感を生じた。また、選択
可能な速度が少なく、オペレータが意図する微妙な速度調整が不可能であった。
【０００６】
感圧抵抗素子でカーソル速度を調整するマウスにおいては微調整や、設定を一定
に固定することが困難であった。また、押圧で調整するためオペレータによって
指の筋力が異なるため人によって操作性が異なってしまう。また、連続的に移動量
あたりのカウント数を感圧抵抗素子の抵抗値に応じて連続的に変化させるため
にはＡ／Ｄ変換手段や波形合成手段などが必要になり、コストが高くなるもので
あった。
【０００７】
本発明は、このような従来のマウスが有していた問題を解決しようとするものであり
マウス側で連続的かつ微妙なカーソル速度調整を実現し、快適な操作性を提供
することを目的とするものである。
【課題を解決するための手段】
【０００８】
本発明は単位時間あたりの検出移動量の外部出力データへの反映率を１００％
以下の比率に連続的に制限調整することによって、カーソル速度の連続的な調整
操作を実現する。したがって、従来のマウスの単位移動距離あたりのカウント数（解
像度）を切り替えることでカーソル速度を変更するものとは異なる。
【０００９】
単位時間あたりの検出移動量の外部出力データへの反映率を決定するために、
デューティ比を連続的に可変調整せしめることが可能な矩形波信号、すなわち
ＰＷＭ信号１を用いる。ＰＷＭ信号１の波形においてはハイ（高）とロー（低）の
レベルが繰り返されるが、いずれか一方の時間を移動検出有効時間５とみなし、もう
一方を移動検出無効時間６とみなして制御に用いる。図６に示す例ではＰＷＭ信号１
においてはハイの時間を移動検出有効時間５とみなし、ローの時間を移動検出無効
時間６とみなしている。
【００１０】
ところで、マウスには必ずマウス操作の移動量と移動方向を検出出力するための
移動検出手段４が備わる。例えばマウス作業面に接したボールの回転量と回転
方向を複数のロータリーエンコーダによって読み取る方式の移動検出手段４を
備えたボール式マウスがある。また、例えばマウス作業面の一部の画像を連続的に
撮像し、移動ベクトル演算手段１２によって撮像フレームを時間軸で比較することで
画像が変移した方向と量からマウスの移動量と移動方向を演算する方式の移動
検出手段４を備えた光学式マウスがある。この様な移動検出手段４を移動量出力
制御手段７によって以下の様に制御することにより、カーソルの移動速度の調整を
可能とする。
【００１１】
先述の移動検出有効時間５においては、移動量出力制御手段７は移動検出手
段４によって検出せしめたマウスの移動量をマウス外部に出力する移動量データ
に反映せしめる制御を行う。例えば、移動検出手段４によるマウス移動量の検出
動作を許可する、もしくは検出したマウスの移動量データをマウス外部へ送信する
ことを許可する、もしくはマウスから外部のコンピュータ等に出力するための移動量
データに加算することを許可するなどの制御を行う。
【００１２】
また、移動検出無効時間６においては、移動量出力制御手段７はマウスの移動
量の検出動作を禁止するか、もしくは検出したマウスの移動量をマウス外部に出力
する移動量データに反映することを禁止する制御を行う。後者の制御は、例えば、
マウス外部への移動量の送信を禁止する、もしくはマウス移動量の検出データを
マウスから外部のコンピュータ等に出力する移動量データに加算することを禁止
するなどの制御を指す。
【００１３】
先述の通りＰＷＭ信号１のデューティ比は手動にて調整が可能であり、これを調整
操作することによって、単位時間あたりの移動検出有効時間５と移動検出無効
時間６の比率が変化し、先述の制御によってマウスが操作する対象であるカーソル
等の単位時間あたりの移動量、すなわちカーソル移動速度を可変調整せしめる
ことが可能となる。
【００１４】
光学式マウスにおいては、図５に示すように光学的にマウスの移動情報を検出する
ために、マウスの操作滑走面などマウスの移動によって相対位置が動く面の画像を
電子的に撮る撮像手段８と、撮像面を照明するためのＬＥＤ等の照明手段９を備え
るが、本発明を実施する場合、移動検出無効時間６においてはマウスの移動を
検出する必要が無いため、照明手段９を消灯する点灯回路１０を備える。これに
よってマウスの消費電力を減らすことが出来る。
【００１５】
また、照明手段９を消灯することは、移動ベクトルの演算に使用可能な画像の読み
取りを光学的に不可能とする。すなわち移動情報の読み取りを禁止することが可能
であるため、例えば図４に示す様に、点灯回路１０を移動量出力制御手段７として
用いることによって、カーソル速度の調整を行うことが可能である。
【００１６】
ところで、カーソル速度の変更操作について、カーソル速度の設定画面呼び出し
操作を無くしても、マウス側で作業の手を止めてカーソル速度を切り替えなければ
ならないのであれば、操作性改善の効果が薄らいでしまう。マウス操作中に、作業
を止めたりマウスを持ち替えたりすることなくカーソル速度の調整が行えれば一層
快適なマウス作業環境を提供することが出来る。
【００１７】
これを実現するため、本発明ではＰＷＭ信号１のデューティ比を調整せしめる
デューティ比手動調整手段３を操作するために用いる操作ツマミ１１を、マウス筐体
表面のマウス操作時に親指が触れる位置に配置する。これは、マウスにおいては
人差し指、中指、薬指はクリックスイッチや、スクロール用ホイール等の操作を担う
ことが主であるため、親指が操作に適するためである。
【発明の効果】
【００１８】
本発明により、マウスを用いてコンピュータ等を操作している時にカーソル速度の
変更を行いたい場合、その都度設定画面を呼び出す必要が無くなり、煩わしさが
解消され、作業効率が上がる。
【００１９】
また、連続的にカーソル速度を細かく変更できるため、作業者が意図するカーソル
速度が得られる。
【００２０】
また、カーソル速度の変化時に段付き感が生じることが無く、快適な操作感が
得られる。
【００２１】
また、親指の位置に操作手段を備えるため、マウスから手を離すことなくカーソル
速度の調整操作が可能となる。
【００２２】
更に、バッテリー駆動式の光学式マウスにおいては、比較的消費電力の大きな
照明手段９の発光時間を、カーソル速度減速時において減らすことが出来るため、
連続駆動時間を延ばすことが可能となる。
【発明を実施するための最良の形態】
【００２３】
以下、本発明の実施の形態を図1〜図９に基づいて説明する。
【００２４】
図１はマウスにおける本発明の該当部分の基本構成を示す説明図である。
【００２５】
ＰＷＭ信号発生手段２は、ＰＷＭ信号１を発生するが、このデューティ比はＰＷＭ
信号発生手段２と繋がったデューティ比手動調整手段３によって連続的に可変
調整を可能とするように構成する。
【００２６】
デューティ比手動調整手段３には、例えば可変抵抗器やロータリーエンコーダ等、
ストロークもしくは回転角度の操作位置もしくは操作量を抵抗値もしくは信号に
連続的に変換できるスライド操作型もしくは回転操作型のデバイスを用いることで、
手動で微妙なカーソル速度の操作を行うことが可能となる。
【００２７】
デューティ比手動調整手段３として可変抵抗器１８を用いたＰＷＭ信号発生手段２
の回路の例を図７に示す。コンパレータ１７の比較入力の一方に別途生成した
安定な三角波信号１６を入力し、もう一方の比較入力に正極と陰極の間に接続
した可変抵抗器１８によって分圧調整した電圧を入力する。これら2つの電圧
レベルの比較結果によってハイ（高）とロー（低）の電圧出力を繰り返し、ＰＷＭ
信号１が生成される。この回路においては、可変抵抗器１８の操作によってコンパ
レータ１７に入力する電圧レベルを可変せしめることで、ＰＷＭ信号１のデューティ
比を連続的に操作することが可能である。
【００２８】
発生したＰＷＭ信号１はＰＷＭ信号発生手段２から移動量出力制御手段７に伝え、
ＰＷＭ信号１に基づいてマウスの移動量を検出および出力するところの移動検出
手段４に対して次の様に制御を加える。
【００２９】
ＰＷＭ信号１の波形はレベルがハイ（高）とロー（低）の繰り返しで成る矩形波で
あるが、レベルがハイまたはローのいずれか一方の時間を移動検出有効時間５と
みなし、もう一方を移動検出無効時間６とみなすことで、各々の時間によって移動
検出手段４の制御を切り替え、これを繰り返す。
【００３０】
移動検出有効時間５においては、移動量出力制御手段７は移動検出手段４に
よって検出せしめたマウスの移動量をマウス外部に出力する移動量データに反映
せしめる制御を行う。例えばロータリーエンコーダを用いたボール式マウスであれ
ばロータリーエンコーダの出力信号をマウス外部に出力する移動量データに反映
することを許可する、もしくは、移動量データのマウス外部への送信を許可する。
光学式マウスの場合については実施例１、２および３として後述する。
【００３１】
また、移動検出無効時間６においては、移動量出力制御手段７はマウスの移動
量の検出動作を禁止するか、もしくは検出したマウスの移動量をマウス外部に出力
する移動量データに反映することを禁止する制御を行う。例えばロータリーエン
コーダを用いたボール式マウスであれば、ロータリーエンコーダの回転そのものを
止めることは困難であるため、ロータリーエンコーダの出力信号をマウス外部に
出力する移動量データに反映することを禁止する、もしくは、移動量データの
マウス外部への送信を禁止する。光学式マウスの場合については実施例１、２
および３として後述する。
【００３２】
本発明の目的のひとつであるマウス操作の作業を止めずにカーソル速度の調整を
可能とすることを実現するためには、マウス側でカーソル速度の操作を可能とする
だけではなく、カーソル速度の調整操作を、マウスを持ち変えることなく可能とする
必要がある。
【００３３】
ＰＷＭ信号１のデューティ比を調整せしめるデューティ比手動調整手段３に、スラ
イド操作型のデバイスを用いる場合の実施例を図８に示す。デューティ比手動調整
手段３の操作部に、指で操作を行うために適した形状を備える操作ツマミ１１を
装着し、マウス筐体表面の操作時に親指が触れる位置に操作ツマミ１１が露出する
様に配置する。また、操作ツマミ１１のスライド操作の方向がマウス作業面に対して
ほぼ平行になる様に備えることで、親指の指先によるスライド操作を可能とする。
【００３４】
ＰＷＭ信号１のデューティ比を調整せしめるデューティ比手動調整手段３に、回転
操作型のデバイスを用いる場合の実施例を図９に示す。デューティ比手動調整
手段３の操作部に、円盤状の操作ツマミ１１を装着し、マウス筐体表面の操作時に
親指が触れる位置に操作ツマミ１１が露出する様に配置する。また、操作ツマミ１１
の回転操作の方向がマウス作業面に対してほぼ平行になる向きに備えることで、
親指の指先によるスライド操作を可能とする。
【００３５】
次に光学式マウスにおいて本発明を実施する場合について説明する。
【００３６】
まず光学式マウスにおいては、ＰＷＭ信号１の周波数は図６に示す様に、マウスの
移動検出タイミング１３の周波数よりも充分低く設定する。これはＰＷＭ信号１の
波形の１サイクルの間に何回の移動検出動作が行われるかによって、ＰＷＭ信号１
のデューティ比の変化量に対応するカーソル速度変化量の細かさが決まるためで
ある。移動検出タイミングは、撮像動作のタイミングもしくは移動ベクトル演算動作
のタイミングなど、移動量の検出動作に関わる部分の動作タイミングを指す。
【００３７】
例えばＰＷＭ信号１の１サイクルの間に移動検出タイミング１３を１０回有する設定
の場合、デューティ比０％から１００％までの間の移動検出タイミング１３を取捨
可能な数は１０回であり、デューティ比１０％の調整幅に対して１回の移動検出
タイミングを取捨することになる。ＰＷＭ信号１の１サイクルの間の移動検出タイ
ミングを多く設定するほど、カーソル速度調整時における速度変化を滑らかに出来、
微細な調整が可能となる。
【００３８】
また、ＰＷＭ信号１の周波数は、マウスの移動量データをコンピュータ等に送信
する移動量データ送信タイミング１５の周波数と同じか、もしくは高く設定する。
これは、移動量データ送信タイミング１５毎に送信される各移動量データに、ＰＷＭ
信号１のデューティ比を正しく反映させるためである。
【００３９】
例えば移動量データ送信タイミング１５の周波数がＰＷＭ信号１の周波数の２倍で
ある場合、連続する２回の移動量データ送信タイミングにおいて、ＰＷＭ信号１の
１サイクルの波形が前半と後半で分割して送信データに反映されてしまう。これ
ではこれら２回の送信データはＰＷＭ信号１で設定されたデューティ比とは異なる
比率で移動検出タイミングが取捨されて得られた移動量データとなってしまう。この
結果、一定の速度でマウスを移動させても送信する移動量データが不安定に増減
することになるため、カーソルの滑らかな動きを妨げることになる。これを避ける
ため先述の様な周波数設定とする。
【実施例１】
【００４０】
光学式マウスにおける本発明の実施例１の構成を図２に示す。ＰＷＭ信号発生
手段２からＰＷＭ信号１を受け取る移動量出力制御手段７は、イメージセンサ等の
撮像手段８と接続しており、ＰＷＭ信号１に基づいて撮像動作の許可信号および
停止信号を撮像手段８に送信することによって撮像動作の制御を行う。
【００４１】
撮像手段８は移動ベクトル演算手段１２と接続し、撮像データを移動ベクトル演算
手段１２に送信する。移動ベクトル演算手段１２は時系列順に撮像データを比較
することによってマウスの移動の方向と移動量を演算し、マウス外部のコンピュータ
等へ演算結果を信号化して出力する。
【００４２】
尚、撮像手段８と移動ベクトル演算手段１２を用いてマウスの移動量を検知する
方法を用いた光学式マウスは既に広く知られているものであるが、本発明をこれに
導入し、発明に絡む構成を説明するためにその構成に触れておく。
【００４３】
移動検出制御手段７は、ＰＷＭ信号１の移動検出有効時間５においては、撮像
手段８の撮像動作を許可し、通常の撮像タイミングにて撮像動作を行う。また、移動
検出無効時間６においては、撮像動作を停止せしめる。撮像動作を停止している
間は、撮像データは移動ベクトル演算手段１２に送信されず、この間の移動方向
および移動量の積算値は０となり、移動検出有効時間５の間に積算された移動量
データのみがマウス外部のコンピュータ等に出力される。
【００４４】
また、次の移動検出有効時間５において撮像動作を再開した場合は、移動ベク
トル演算手段１２は撮像動作停止前に得た画像を用いず撮像動作再開後に得た
画像から移動ベクトルの演算処理を開始することで、移動検出無効時間６内の
移動量を完全に無視することが出来る。
【００４５】
この結果、マウスが接続されたコンピュータ等の表示装置画面上にて操作される
カーソルの動きは、ＰＷＭ信号１における移動検出有効時間５と移動検出無効
時間６の比率（デューティ比）に応じて減速されることになる。
【００４６】
ところで、移動検出無効時間６においては、撮像手段８を停止するため、撮像
動作のために必要な、撮像部を照明する照明手段９を消灯しても不都合が無い。
また、移動検出無効時間６の間消灯することで、マウスの消費電力を節約する
ことが出来る。これを実現するためＰＷＭ信号１に基づいて照明手段９の点灯
状態を制御せしめる点灯回路１０をＰＷＭ信号発生手段２と照明手段９の間に
接続して備える。
【００４７】
点灯回路１０はＰＷＭ信号発生手段２からＰＷＭ信号１を受け取り、移動検出
有効時間５においては照明手段９を点灯し、移動検出無効時間６においては
照明手段９を消灯する制御を行う。
【実施例２】
【００４８】
光学式マウスにおける本発明の実施例２の構成を図３に示す。実施例１では移動
量出力制御手段７が撮像手段８の撮像動作の制御を行うものであるが、実施例２
では移動量出力制御手段７は移動ベクトル演算手段１２に制御を加えるものである。
【００４９】
移動量出力制御手段７はＰＷＭ信号発生手段２から送られるＰＷＭ信号１の移動
検出有効時間５においては撮像手段８から移動ベクトル演算手段１２に送られる
撮像データの受け付けを許可するか、もしくは撮像データを時間軸で比較すること
による移動量の演算を許可するか、もしくは移動量の演算結果を外部送信用の
移動量データに加算することを許可し、移動検出無効時間６においては撮像
データの受け付けを禁止するか、もしくは移動量の演算を禁止するか、もしくは
移動量の演算結果を外部送信用の移動量データに加算することを禁止する。
【００５０】
これによって移動検出無効時間６の間は、移動ベクトル演算手段１２における
移動方向および移動量の積算値が０となり、移動検出有効時間５の間に積算
された移動量データのみがマウス外部のコンピュータ等に出力送信される。
【００５１】
以下、実施例１と同様にマウスが接続されたコンピュータ等の表示装置画面上にて
操作されるカーソルの動きは、ＰＷＭ信号１における移動検出有効時間５と移動
検出無効時間６の比率（デューティ比）に応じて減速されることになる。
【００５２】
また、移動検出無効時間６内に照明手段９を消灯することでマウスの消費電力を
減らす仕組みについては実施例１と同様に備える。
【実施例３】
【００５３】
光学式マウスにおける本発明の実施例３の構成を図４に示す。この実施例では
移動量出力制御手段７として、光学式マウスにおけるイメージセンサ等の撮像
手段８による撮像動作を可能とするために検出位置を照明するように備えたＬＥＤ
等の照明手段９の点灯状態を制御する方法を用いる。
【００５４】
ＰＷＭ信号発生手段２はＰＷＭ信号１を点灯回路１０に伝え、点灯回路１０は照明
手段９をＰＷＭ信号１に基づいて、点灯と消灯もしくは点灯と減光を行う。ＰＷＭ
信号１の移動検出有効時間５においては照明手段９を点灯せしめ、移動検出無効
時間６に照明手段９を消灯する制御を行う。撮像手段８はＰＷＭ信号発生手段２に
接続せず、ＰＷＭ信号１とは関わり無く移動検出タイミング１３にて撮像動作を
繰り返す。
【００５５】
照明手段９が消灯状態においては、撮像手段８は撮像動作を行っても撮像面の
光の反射が無いために不明瞭な画像しか得られず、この画像を移動ベクトル演算
手段１２に送っても移動量および移動方向を演算することが不可能である。これに
よってマウスの移動の検出を光学的に禁止することが出来る。すなわちこの場合は
点灯回路１０が移動量出力制御手段７として機能することになる。
【００５６】
この撮像動作の禁止によって移動検出無効時間６の間は、移動ベクトル演算
手段１２における移動方向および移動量の積算値が０となり、移動検出有効時間５
の間に積算された移動量データのみがマウス外部のコンピュータ等に出力される。
以下、実施例１と同様にマウスが接続されたコンピュータ等の表示装置画面上にて
操作されるカーソルの動きは、ＰＷＭ信号１における移動検出有効時間５と移動
検出無効時間６の比率（デューティ比）に応じて減速されることになる。
【００５７】
また、照明手段９は消費電流が比較的大きいため、ＰＷＭ信号１のデューティ比に
応じて消費電流を減らすことが出来る。
【図面の簡単な説明】
【００５８】
【図１】本発明の基本構成図
【図２】光学式マウスにおける本発明の構成例（実施例１）
【図３】光学式マウスにおける本発明の構成例（実施例２）
【図４】光学式マウスにおける本発明の構成例（実施例３）
【図５】光学式マウスの場合の概略断面図
【図６】ＰＷＭ信号と各動作のタイミングの例を示す概略説明図
【図７】ＰＷＭ信号発生手段の例を示す説明図
【図８】スライド操作型の操作ツマミを備えたマウス外観図
【図９】回転操作型の操作ツマミを備えたマウス外観図
【符号の説明】
【００５９】
１  ＰＷＭ信号
２  ＰＷＭ信号発生手段
３  デューティ比手動調整手段
４  移動検出手段
５  移動検出有効時間
６  移動検出無効時間
７  移動量出力制御手段
８  撮像手段
９  照明手段
１０  点灯回路
１１  操作ツマミ
１２  移動ベクトル演算手段
１３  移動検出タイミング
１４  送信データに反映される移動検出タイミング
１５  移動量データ送信タイミング
１６  コンパレータ
１７  三角波信号
１８  可変抵抗器
【図１】
2006338238.tif 000003
【図２】
2006338238.tif 000004
【図３】
2006338238.tif 000005
【図４】
2006338238.tif 000006
【図５】
2006338238.tif 000007
【図６】
2006338238.tif 000008
【図７】
2006338238.tif 000009
【図８】
2006338238.tif 000010
【図９】
2006338238.tif 000011